(57)【要約】【課題】開口部を開閉する蓋体を備えると共に、ゴミに直接手を触れることなく、ゴミの体積を減らすことができるゴミ容器を提供する。【解決手段】ゴミ容器１は、上方に開口した容器本体１０と、容器本体に対して蓋支軸１２によって軸支され、蓋支軸周りの回動によって容器本体の開口部１１を開閉する蓋体２０と、容器本体の側面部１８に取り付けられた軸部２と、軸部２の回転に伴って軸部２の軸心周りに回動し、容器本体に収容された収容物を押圧する押圧位置、及び蓋体の裏面に近接した不使用位置に変位可能な押圧体４と、押圧体を蓋体の裏面に向けて付勢する付勢部材８と、軸部の端部から容器本体の外方に突出され、付勢部材による付勢に抗して軸部を回転させる操作部５とを具備する。【選択図】図１
0003132188.tif 000002
【実用新案登録請求の範囲】
【請求項１】
上方に開口した容器本体と、
該容器本体に対して蓋支軸によって軸支され、該蓋支軸周りの回動によって前記容器本体の開口部を開閉する蓋体と、
前記容器本体の側面部に取り付けられた軸部と、
該軸部の回転に伴って前記軸部の軸心周りに回動し、前記容器本体に収容された収容物を押圧する押圧位置、及び前記蓋体の裏面に近接した不使用位置に変位可能な押圧体と、
該押圧体を前記蓋体の裏面に向けて付勢する付勢部材と、
前記軸部の端部から前記容器本体の外方に突出され、前記付勢部材による付勢に抗して前記軸部を回転させる操作部と
を具備することを特徴とするゴミ容器。
【請求項２】
前記軸部から突設され、前記軸部の回転に伴って前記軸心周りに回動する第二軸部を更に具備し、
前記押圧体は、押圧体支軸によって回動自在に前記第二軸部に軸支されている
ことを特徴とする請求項１に記載のゴミ容器。
【請求項３】
前記容器本体の底部に上下動可能に設けられたペダルと、
前記ペダルの押し下げにより前記蓋体を押し上げるリンク機構とを更に具備し、
前記操作部は、前記軸部と略直交する方向に延出された操作バー、及び該操作バーの先端に設けられ、足で操作される操作ペダルを備える
ことを特徴とする請求項１または請求項２に記載のゴミ容器。
【考案の詳細な説明】
【技術分野】
【０００１】
本考案は、ゴミ容器に関するものであり、特に、開口部を開閉する蓋体を備えるゴミ容器に関するものである。
【背景技術】
【０００２】
従来より、開口部を開閉する蓋体を備えるゴミ容器が、広く使用されている。このようなゴミ容器によれば、収容されたゴミの臭いが外部に漏れたり、ハエ等の虫がゴミに集まったりすることを防止でき、衛生的にゴミを収容することができる。
【考案の開示】
【考案が解決しようとする課題】
【０００３】
ゴミの中には、嵩が高く、圧縮することによって体積を減らせるものも多い。そのため、一つのゴミ容器になるべく多くのゴミを収容できるよう、ゴミを手で押し潰す作業を行うことがある。また、近年、各地方自治体では、事業者や住民に対して、ゴミの排出量を減らすことを求めており、圧縮できるゴミは圧縮してから排出することが望まれている。
【０００４】
しかしながら、蓋付きのゴミ容器を使用して、衛生的にゴミを収容していても、ゴミを押し潰す作業を手で行うのでは、衛生的とは言えなかった。特に、大量の医療廃棄物が排出される病院等の医療施設や、厨房から大量の生ゴミが排出される飲食店では、衛生的な環境を維持することが要請されるため、ゴミに手を触れることによる手や衣類の汚染が、強く懸念されるものであった。また、医療廃棄物に含まれる注射針や、飲食店で使用された割り箸等に例示される、尖った部分を有するゴミによっては、手を傷付ける恐れもあり、傷を介して細菌や病原菌に感染する恐れもあった。更に、衛生上は特に問題のない種類のゴミであっても、いったん捨てたゴミには触れたくないと感じる人も多かった。
【０００５】
そこで、本考案は、上記の実情に鑑み、開口部を開閉する蓋体を備えると共に、ゴミに直接手を触れることなく、ゴミの体積を減らすことができるゴミ容器の提供を課題とするものである。
【課題を解決するための手段】
【０００６】
上記の課題を解決するため、本考案に係るゴミ容器は、「上方に開口した容器本体と、該容器本体に対して蓋支軸によって軸支され、該蓋支軸周りの回動によって前記容器本体の開口部を開閉する蓋体と、前記容器本体の側面部に取り付けられた軸部と、該軸部の回転に伴って前記軸部の軸心周りに回動し、前記容器本体に収容された収容物を押圧する押圧位置、及び前記蓋体の裏面に近接した不使用位置に変位可能な押圧体と、該押圧体を前記蓋体の裏面に向けて付勢する付勢部材と、前記軸部の端部から前記容器本体の外方に突出され、前記付勢部材による付勢に抗して前記軸部を回転させる操作部とを」具備している。
【０００７】
「容器本体」の形状は特に限定されず、例えば、横断面形状が矩形、円形、楕円形等の有底筒状に形成することができる。また、容器本体の大きさ及び材質も、任意に設定することができる。
【０００８】
「蓋体」は、容器本体の開口部を被覆可能な形状及び大きさに形成される。また、開口部を被覆する際に容器本体の自由端と当接する部分に、当接に伴う衝撃を吸収すると共に密閉度を高めるパッキンを取り付けることもできる。更に、「蓋支軸」により蓋体が容器本体に軸支される構成は、蓋支軸周りの蓋体の回動によって蓋体で開口部を開閉できるものであれば特に限定されない。例えば、容器本体の自由端の近傍に、蓋支軸を凸状に設け、この支軸に対して回動自在に係合する凹部を蓋体に形成した構成、蓋体側に長軸状の蓋支軸を設け、これに引き掛けることにより支軸周りに回動自在な爪部を容器本体に形成した構成、容器本体及び蓋体の双方に蓋支軸を貫通させた構成を、例示することができる。
【０００９】
「軸部」は、例えば、容器本体の側面部に対して取り付けた環状の部材や、容器本体の側面部を貫通する孔部に、丸棒状の軸部を挿通させた構成とすることができる。或いは、軸部を角棒状とし、側面部の孔部に挿通させた軸螺子と螺合により結合させることもできる。また、軸部は、その両端側で容器本体の側面部に対して取り付けられ、容器本体の内部空間を横断するように設けられるものであっても、一端側でのみ側面部に取り付けられて、いわゆる片持ち状に支持されるものであっても良い。
【００１０】
「押圧体」は、回転する軸部に伴って軸部の軸心周りに回動する構成であり、軸部とは別体に形成した上で、螺子留めや接着・溶着等を行うことにより、或いは別の部材で軸部と連結することにより、軸部と一体化させることができる。或いは、押圧体と軸部とを、一体的に形成することもできる。また、押圧体の形状は、軸部の回転に伴う回動によって、容器本体の内側面と干渉しない形状であれば特に限定されず、例えば、横断面が矩形の容器本体に対して、押圧体を矩形の板状とし、或いは、横断面が円形の容器本体に対して、押圧体を円形の板状とすることができる。
【００１１】
「付勢部材」は、コイルばねや紐状のゴムを例示することができ、その一端を押圧体に、他端を蓋体の裏面にそれぞれ取り付けることにより、押圧体を蓋体の裏面に向かって付勢することができる。なお、蓋体の「裏面」とは、蓋体で容器本体の開口部を被覆した際に、ゴミが収容される容器本体の内部空間に面する側を指している。
【００１２】
「操作部」は、容器本体の外部で操作するために、軸部の端部から容器本体の外方に突出する構成とされる。また、操作部は、軸部を回転させることができるものであれば、その構成は特に限定されず、例えば、軸部と共にＬ字状やクランク状を構成する長尺棒状に形成することができる。或いは、ノブ状の操作部としても構わない。
【００１３】
上記の構成により、本考案によれば、操作部の操作により軸部を回転させ、軸部の軸心周りに軸部と共に押圧体を下方向に回動させることにより、押圧位置に変位させ、容器本体に収容された収容物（ゴミ）を押圧体で押圧することができる。これにより、ゴミに直接手を触れることなく、ゴミの体積を減少させることができる。また、操作部は、容器本体の外側に設けられているため、ゴミを圧縮するために蓋体を開ける必要がなく、ゴミの臭いが外部に漏れることを防止することができる。
【００１４】
また、押圧体は、付勢部材によって常に蓋体の裏面に向かって付勢されているため、操作部に加えられた力が除かれれば、蓋体の裏面に近接した不使用位置に戻る。また、蓋体を蓋支軸周りに上方向に回動させ、開口部を開放する際は、押圧体は蓋体の裏面に近接した不使用位置のまま、軸部の軸心周りに上方向に回動する。これにより、押圧体が邪魔になることなく、ゴミを容器本体に投入することができる。
【００１５】
次に、本考案によるゴミ容器は、上記構成に加え、「前記軸部から突設され、前記軸部の回転に伴って前記軸心周りに回動する第二軸部を更に具備し、前記押圧体は、押圧体支軸によって回動自在に前記第二軸部に軸支されている」ものとすることができる。
【００１６】
「第二軸部」は、軸部と一体的に形成することにより、或いは、軸部とは別体に形成された第二軸部を、接着や螺子留め等により軸部に固定して一体化することにより、軸部の回転に伴って軸部の軸心周りに回動する構成とすることができる。例えば、軸部と第二軸部とでＴ字形を形成するように、第二軸部を軸部の途中から突出させることができる。なお、第二軸部の形状は特に限定されず、丸棒状、角棒状、板状等に形成することができる。
【００１７】
押圧体が「押圧体支軸」によって第二軸部に軸支される構成としては、例えば、押圧体支軸を凸状の構成として第二軸部の端部側に設け、一方で押圧体には孔部を有する取付け用の部材を固定し、その孔部に押圧体支軸を挿通させる構成とすることができる。或いは、第二軸部及び押圧体の双方に押圧体支軸を貫通させる構成とすることもできる。
【００１８】
上記の構成により、本発明によれば、軸部の回転に伴って軸部の軸心周りに下方向に回動する第二軸部を介して、押圧体も軸部の軸心周りに下方向に回動する。そして、ゴミを押圧する際に、押圧体は軸部の軸心とは離れた位置で、押圧体支軸周りにも回動する。これにより、押圧されるゴミからの反力により、押圧体が水平に近い状態に保持され、ゴミを全体的に押し下げて圧縮することができる。
【００１９】
また、本考案によるゴミ容器は、上記構成に加え、「前記容器本体の底部に上下動可能に設けられたペダルと、前記ペダルの押し下げにより前記蓋体を押し上げるリンク機構とを更に具備し、前記操作部は、前記軸部と略直交する方向に延出された操作バー、及び該操作バーの先端に設けられ、足で操作される操作ペダルを備える」ものとすることができる。
【００２０】
「ペダル」は、例えば、ゴミ容器の底部の一部または全部を底上げして形成される空間内から、外方に一部を露呈させるように設けることができる。また、「リンク機構」は、ペダルの押し下げにより蓋体を押し上げる構成であれば、特に限定されるものではない。例えば、ゴミ容器の底部の空間に収容され、一端がペダルに連結され、ペダルの操作によって軸周りに回動する第一アームと、第一アームの他端に連結されると共に、運動方向を上下方向に規制され、第一アームの回動に伴って、上下方向に昇降する第二アームを備える構成を、例示することができる。
【００２１】
「操作バー」は、例えば、軸部と別体の長尺棒状の構成とし、Ｌ字状のジョイント部材等を使用して、軸部と連結することができる。或いは、長尺の金属棒を屈曲させることによって、操作バーと軸部とを一体的に形成することができる。そして、「操作ペダル」は、操作バーの操作を足で行い易くするためには、操作バーの軸部側とは反対側の端部に設けられる。
【００２２】
上記の構成により、本考案によれば、軸部と略直交する方向に延出された操作バーで軸部を回転させるため、力点が軸部の軸心から離れ、例えば、操作部をノブとして構成させる場合に比べ、小さな力で容易に軸部を回転させることができる。これにより、付勢部材による付勢に抗して押圧体を回動させ、収容物を圧縮する操作を、より容易に行うことができる。更に、操作バーが軸部と略直交していることにより、操作バーに加えられる力を、効率よく軸部に伝え、安定的に軸部を回転させることができる。
【００２３】
また、操作バーを足で操作する構成としたことにより、体重を利用して容易に操作バーを回動させ、容易に収容物を圧縮することができる。更に、ゴミに直接手を触れずに済むだけではなく、ゴミ容器にも手を触れることなく、ゴミを圧縮することができる。
【００２４】
加えて、本考案は、リンク機構を介して、ペダルの押し下げによって蓋体が押し上げられ、開口部が開放される構成であるため、ゴミ容器に手を触れることなくゴミを投入することができる。これにより、ゴミ容器に手を触れることなくゴミを捨て、ゴミ容器に手を触れることなくゴミを圧縮することが可能なゴミ容器となる。
【考案の効果】
【００２５】
以上のように、本考案によれば、開口部を開閉する蓋体を備えると共に、ゴミに直接手を触れることなく、ゴミの体積を減らすことができるゴミ容器を提供することができる。
【考案を実施するための最良の形態】
【００２６】
以下、本考案の第一実施形態のゴミ容器について、図１乃至図３に基づいて説明する。ここで、図１は第一実施形態のゴミ容器の概略構成を示す分解斜視図であり、図２及び図３は図１のゴミ容器の使用について説明する説明図である。
【００２７】
第一実施形態のゴミ容器１は、図１に示すように、上方に開口した容器本体１０と、容器本体１０に対して蓋支軸１２によって軸支され、蓋支軸１２周りの回動によって容器本体１０の開口部１１を被覆する閉位置、及び開口部１１を開放する開位置に変位する蓋体２０と、容器本体１０の側面部１８に取り付けられた軸部２と、軸部２の回転に伴って軸部２の軸心周りに回動し、容器本体１０に収容された収容物を押圧する押圧位置、及び蓋体２０の裏面に近接した不使用位置に変位可能な押圧体４と、押圧体４を蓋体２０の裏面に向けて付勢する付勢部材８と、軸部２の端部から容器本体１０の外方に突出されると共に、軸部２と略直交する方向に延出され、付勢部材８による付勢に抗して軸部２を回転させる操作バー５と、操作バーの先端に設けられ、足で操作される操作ペダル９を具備している。更に、第一実施形態のゴミ容器１は、容器本体１０の底部に上下動可能に設けられたペダル１３と、ペダル１３の押し下げにより蓋体２０を押し上げるリンク機構１５（図２及び図３参照）を具備している。なお、操作バー５及び操作ペダル９が、本考案の操作部に相当する。
【００２８】
より詳細に説明すると、容器本体１０は、平面視が矩形で、側面視及び正面視が台形の函状に形成されている。また、図２及び図３に示すように、容器本体１０には、底部を底上げして底部空間１４が形成され、この底部空間１４に、ペダル１３、及び一端にペダル１３が取り付けられた長尺棒状の第一アーム１５ａが収容されている。ここで、ペダル１３は、一部が底部空間１４から外方に露呈している。以下では、便宜上、ゴミ容器１においてペダル１３が露呈している側を「前方」、その反対側を「後方」と称して説明する。
【００２９】
第一アーム１５ａは、第一軸Ｐ１周りに回動可能な構成とされ、この第一アーム１５ａの後方端部には、長尺棒状の第二アーム１５ｂが第二軸Ｐ２によって回動自在に連結されている。そして、第二アーム１５ｂの動きを上下方向にガイドする空間を有し、容器本体１０の後方側に設けられたガイド部１６に、第二アーム１５ｂが収容されている。
【００３０】
更に、ガイド部１６の上端には、第二アーム１５ｂが昇降する位置より更に後方側において、蓋支軸１２が左右に突出するように設けられている。また、蓋体２０は、容器本体１０の開口部１１を被覆可能な大きさに形成され、後方側に、蓋支軸１２と回動自在に係合する凹部（図示しない）が形成されている。
【００３１】
軸部２は、長尺丸棒状の金属で構成され、同じく長尺丸棒状の金属で構成される操作バー５と、Ｌ字状のジョイント部材６によって一体化されている。そして、操作バー５の先端には、足踏み操作用の操作ペダル９が取り付けられている。また、押圧体４は、容器本体１０の開口部１１より小さなサイズの矩形の平板状に形成され、螺子部材（図示しない）によって軸部２と一体化されている。なお、押圧体４は、格子状や網状の構成であっても良い。また、押圧体４は、接着や溶着によって軸部２と一体化されても良い。
【００３２】
更に、軸部２は、両方の端部近傍で、リング部材３に挿通されており、リング部材３のリングの中で、軸部２は自在に回転することができる構成とされている。このリング部材３の取付部３ａを、容器本体１０の左右一対の側面部１８の外側面に固定することにより、軸部２は、容器本体１０の側面部１８に対して回転自在となる。
【００３３】
なお、容器本体１０の一対の側面部１８の自由端には、略円弧状の切欠き部１９が設けられており、リング部材３と押圧体４との間で、軸部２を一対の切欠き部１９に挿通させることにより、軸部２は容器本体１０の内部空間を横断するように架け渡される。また、蓋体２０においても、切欠き部１９と対応する位置に、円弧状の切欠き部２９が設けられており、これらの切欠き部１９，２９により、回転する軸部２が容器本体１０及び蓋体２０と干渉しない構成となっている。
【００３４】
付勢部材８は、本実施形態ではコイルばねが使用され、一端が押圧体４の上面に、他端が蓋体２０の裏面に取り付けられる。これにより、押圧体４は、蓋体２０の裏面に向かって常に付勢されている。
【００３５】
次に、本実施形態のゴミ容器１の使用について、主に図２及び図３を用いて説明する。なお、図２及び図３では、収容物を圧縮する動作が明らかとなるように、押圧体４、操作バー５、及び付勢部材８のみを実線で示し、他の構成は破線で示している。また、図２及び図３では、操作ペダル及びリング部材は省略している。
【００３６】
まず、ペダル１３が押し下げられていない状態では、図２（ａ），（ｂ）に示すように、第二アーム１５ｂは蓋体２０に当接しておらず、蓋体２０は容器本体１０の開口部１１を被覆する閉位置にある。また、操作バー５に力が加えられていない状態では、図２（ａ）に示すように、押圧体４は付勢部材８によって付勢され、蓋体２０の裏面に近接した不使用位置にある。この状態では、容器本体１０に収容された収容物Ｄを押圧する力は、作用していない。
【００３７】
この状態で、付勢部材８の付勢に抗して、操作バー５を下方に足で押し下げると、操作バー５は軸部２と共に、軸部２の軸心周りに下方向に回動する（図２（ａ）における矢印Ｒ方向）。これに伴い、軸部２と一体化された押圧体４も軸部２の軸心周りに回動し、図２（ｂ）に示すように、押圧位置に変位する。これにより、収容物Ｄが押圧体４によって押圧され、収容物Ｄの体積が減少する。
【００３８】
そして、操作バー５に加えていた力が除かれると、付勢部材８の付勢によって、図３（ａ）に示すように、軸部２及び操作バー５と共に、押圧体４は軸部２の軸心周りに上方向に回動し、蓋体２０の裏面に近接した不使用位置に戻る。
【００３９】
ゴミを容器本体１０に投入したいときは、図３（ｂ）に示すように、足踏み操作によりペダル１３を下方に押し下げる（図示、矢印Ｚ方向）。これにより、第一アーム１５ａは軸Ｐ１回りに回動し、第一アーム１５ａの後方の端部が上昇する。これに伴い、第一アーム１５ａに対して軸Ｐ２によって回動自在に連結された第二アーム１５ｂが、ガイド部１６にガイドされつつ上昇する。その結果、第二アーム１５ｂの上方の端部が蓋体２０に当接して蓋体２０を押し上げ、蓋体２０は蓋支軸１２周りに上方向に回動して、開口部１１を開放する開位置に変位する。
【００４０】
そして、蓋体２０が閉位置から開位置に変位する際、蓋体２０の裏面に向かって常に付勢部材８によって付勢されている押圧体４は、軸部２及び操作バー５と共に、軸部２の軸心周りに上方向に回動する。すなわち、押圧体４が蓋体２０の裏面に近接した不使用位置のまま、蓋体２０は閉位置から開位置に変位する。これにより、開口部１１は、押圧体４によって塞がれることなく開放される。
【００４１】
以上のように、第一実施形態のゴミ容器１によれば、操作バー５を押し下げて軸部２を回転させ、押圧体４を軸部２の軸心周りに下方向に回動させることにより、容器本体１０に収容された収容物（ゴミ）を押圧体４で押圧し、圧縮することができる。これにより、ゴミに直接手を触れることなく、ゴミの体積を減少させることができる。また、操作バー５は、容器本体１０の外側に設けられているため、ゴミの体積を減少させるために蓋体２０を開ける必要がなく、ゴミの臭いが外部に漏れることを防止することができる。
【００４２】
また、押圧体４は、付勢部材８によって常に蓋体２０の裏面に向かって付勢されているため、操作バー５に加えられた力が除かれれば、不使用位置に自動的に戻る。また、蓋体２０を開位置に変位させる際は、押圧体４は蓋体２０の裏面に近接した不使用位置にあるまま、上方向に回動する。これにより、押圧体４が邪魔になることなく、ゴミを容器本体１０に投入することができる。
【００４３】
更に、本実施形態では、操作バー５が軸部２に対して略直交して延出されており、操作バー５における力点が軸部２の軸心から離れているため、小さな力で容易に軸部２を回転させることができる。これにより、付勢部材８による付勢に抗して押圧体４を回動させ、収容物を押圧する作業が、容易なものとなっている。また、操作バー５が軸部２と略直交していることにより、操作バー５に加えられる力を、効率よく軸部２に伝え、軸部２を安定して回転させることができる。
【００４４】
加えて、本実施形態では、容器本体１０に固定されたリング部材３に軸部２が挿通され、リング部材３のリング内で回転する構成であるため、操作バー５の操作によって軸部２が容器本体１０から外れる恐れがなく、軸部２を安定的に容器本体１０に保持させることができる。
【００４５】
また、本実施形態の操作バー５は操作ペダル９を備えているため、ゴミ容器１の前に立った使用者が、足で操作バー５を操作することにより、体重を利用して容易に操作バー５を回動させ、容易に収容物を圧縮することができる。加えて、ゴミに直接手を触れないだけではなく、ゴミ容器１にも手を触れることなく、ゴミを圧縮することができる。
【００４６】
加えて、本実施形態のゴミ容器１は、足踏み操作によるペダル１３の押し下げによって、開口部１１が開放される構成であるため、ゴミ容器１に手を触れることなくゴミを捨て、ゴミ容器１に手を触れることなくゴミを圧縮することができる。
【００４７】
次に、第二実施形態のゴミ容器３１について、図４及び図５を用いて説明する。ここで、図４は第二実施形態のゴミ容器３１の概略構成を示す分解斜視図であり、図５は図４のゴミ容器３１の使用について説明する説明図である。なお、第一実施形態と同様の構成については同一の符号を付し、詳細な説明は省略する。
【００４８】
第一実施形態のゴミ容器１では、押圧体４が軸部２に直接的に取り付けられていたのに対し、第二実施形態のゴミ容器３１では、図４に示すように、押圧体３４が、第二軸部２ｂを介して軸部２に取り付けられている点で相違する。
【００４９】
より詳細に説明すると、第二軸部２ｂは、軸部２と同じく長尺丸棒状の金属であり、一端が軸部２の略中央に固定され、軸部２と略直交する方向に突出して、軸部２とＴ字を形成している。そして、第二軸部２ｂの先端には、第二軸部２ｂと略直交し第二軸部２ｂとＴ字を形成するように、丸棒状の押圧体支軸３２が突設されている。一方、押圧体３４の上面からは、一対の板状の連結部材３３が、押圧体３４の上面とそれぞれ略直角をなすと共に互いに略平行に突設されており、連結部材３３にはそれぞれ円形の貫通孔部が穿設されている。そして、この一対の連結部材３３の間に第二軸部２ｂの先端が挟み込まれるように、押圧体支軸３２の両端がそれぞれ連結部材３３の貫通孔部に挿通されている。
【００５０】
このような構成により、第二実施形態の押圧体３４は、軸部２の回転に伴って第二軸部２ｂと一体的に軸部２の軸心周りに回動すると共に、第二軸部２ｂに対しては押圧体支軸３２周りに回動自在となっている。なお、付勢部材８の押圧体３４側の端部は、押圧体支軸３２のごく近傍となる位置で、押圧体３４の上面に取り付けられている。
【００５１】
次に、第二実施形態のゴミ容器３１の使用について、図５を用いて説明する。なお、図５では、収容物を圧縮する動作が明らかとなるように、第二軸部２ｂ、連結部材３３、押圧体支軸３２、押圧体３４、操作バー５、及び付勢部材８のみを実線で示すと共に、他の構成は破線で示し、操作ペダル及びリング部材は省略している。
【００５２】
まず、操作バー５に力が加えられていない状態では、図５（ａ）に示すように、押圧体３４は付勢部材８によって付勢され、蓋体２０の裏面に近接した不使用位置にある。この状態では、容器本体１０に収容された収容物Ｄを押圧する力は、作用していない。
【００５３】
操作バー５を下方に足で押し下げると、図５（ｂ）に示すように、操作バー５は軸部２の軸心周りに下方向に回動し、軸部２の回転に伴って、軸部２と一体化された第二軸部２ｂ及び押圧体３４も軸部２の軸心周りに下方向に回動する。これにより、押圧体３４は押圧位置に変位して収容物Ｄを押圧するが、このとき、収容物Ｄから受ける反力によって、押圧体３４は押圧体支軸３２周りに回動する。その結果、押圧体３４はほぼ水平に保持された状態で、収容物Ｄを押圧する。
【００５４】
操作バー５に加えていた力が除かれると、付勢部材８の付勢によって、押圧体３４は軸部２の軸心周りに上方向に回動し、蓋体２０の裏面に近接した不使用位置に戻る。このとき、付勢部材８は押圧体支軸３２のごく近傍で押圧体３４の上面に取り付けられているため、付勢部材８による付勢によって押圧体３４のみが押圧体支軸３２周りに回動することなく、押圧体３４、第二軸部２ｂ及び軸部２が一体的に軸部２の軸心周りに上方向に回動する。
【００５５】
ゴミ容器３１にゴミを投入するに当たり、ペダル１３の足踏み操作によって蓋体２０が閉位置から開位置に変位する際も、付勢部材８が押圧体支軸３２のごく近傍で押圧体３４の上面に取り付けられていることにより、蓋体２０の蓋支軸１２周りの回動に伴って押圧体３４のみが押圧体支軸３２周りに回動することなく、押圧体３４、第二軸部２ｂ及び軸部２が一体的に軸部２の軸心周りに上方向に回動する。これにより、押圧体３４によって塞がれることなく、開口部１１が開放される。
【００５６】
以上のように、第一実施形態のゴミ容器１では、押圧体４が収容物Ｄを前方から後方に向けて押圧するような力が作用するのに対し、第二実施形態のゴミ容器３１によれば、収容物Ｄの押圧の際に押圧体３４が押圧体支軸３２周りに回動して、ほぼ水平に保持されるため、収容物Ｄを全体的に下方向に圧縮することができる。これにより、ゴミの圧縮によってゴミ容器３１の上方に広く内部空間を空けることができ、よりゴミの捨て易いゴミ容器となる。
【００５７】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００５８】
例えば、本実施形態では、軸部の片側のみに操作バーが設けられる場合を例示したが、これに限定されず、軸部の両側に操作バーを設けることとしても良い。これにより、右利き、左利きの別によらず、使用者にとって使い勝手の良い方の操作バーを使用して、ゴミの圧縮を行うことができる。
【００５９】
また、軸部をリング部材を介して、容器本体の側面部に取り付ける場合を例示したが、これに限定されず、例えば、側面部に貫通する孔部を設け、ここに丸棒状の軸部を挿通することにより、軸部を容器本体に対して回転自在な構成とすることができる。
【図面の簡単な説明】
【００６０】
【図１】第一実施形態のゴミ容器の概略構成を示す分解斜視図である。
【図２】図１のゴミ容器の使用について説明する説明図である。
【図３】図１のゴミ容器の使用について説明する説明図である。
【図４】第二実施形態のゴミ容器の概略構成を示す分解斜視図である。
【図５】図４ゴミ容器の使用について説明する説明図である。
【符号の説明】
【００６１】
１，３１  ゴミ容器
２  軸部
２ｂ  第二軸部
４，３４  押圧体
５  操作バー（操作部）
８  付勢部材
９  操作ペダル（操作部）
１０  容器本体
１１  開口部
１２  蓋支軸
１３  ペダル
１５  リンク機構
１８  側面部
２０  蓋体
３２  押圧体支軸
３３  連結部材
Ｄ  収容物
【図１】
0003132188.tif 000003
【図２】
0003132188.tif 000004
【図３】
0003132188.tif 000005
【図４】
0003132188.tif 000006
【図５】
0003132188.tif 000007